(57)【要約】【課題】手を使う作業の邪魔にならず、且つ前腕部に情報機器を安定的に装着することができる情報機器装着具を提供すること。【解決手段】携帯可能な情報機器を前腕部に装着するための情報機器装着具１０において、前腕部に巻回固定される前腕バンド１２と、前腕バンド１２に設けられ、情報機器を外方から操作可能な状態で収納する情報機器収納・装着部１６と、この前腕部と同じ腕の上腕部に巻回固定される上腕バンド２２と、前腕バンド１２と上腕バンド２２を連結する連結部材２４と、を有する情報機器装着具１０である。これにより、腕の振り動作等による前腕バンド１２の手先方向への移動及び前腕部に対する前腕バンド１２の回動が、連結部材２４によって連結された上腕バンド２２によって抑制され、前腕部に情報機器を安定的に装着することができる。同時に、手や指が自由になっているので、邪魔になるものがなく手を使う作業を行うことができる。【選択図】図２
2014078862.tif 000002
【特許請求の範囲】
【請求項１】
携帯可能な情報機器を前腕部に装着するための情報機器装着具において、
前記前腕部に巻回固定される前腕バンドと、
該前腕バンドに設けられ、前記情報機器を外方から操作可能な状態で収納・装着する情報機器収納・装着部と、
前記前腕部と同じ腕の上腕部に巻回固定される上腕バンドと、
前記前腕バンドと前記上腕バンドを、肘の曲げ伸ばしを阻害しないように連結する連結部材と、を有することを特徴とする情報機器装着具。
【請求項２】
前記連結部材が、長さ調節可能であることを特徴とする請求項１に記載の情報機器装着具。
【請求項３】
前記連結部材が、複数本設けられていることを特徴とする請求項１又は２に記載の情報機器装着具。
【請求項４】
前記前腕バンドにおける前記情報機器収納部の設けられた面の反対側の面に、所定の弾力を有する滑り止め部材が設けられていることを特徴とする請求項１〜３の何れか１項に記載の情報機器装着具。
【発明の詳細な説明】
【技術分野】
【０００１】
本発明は、身体に情報機器を装着するための情報機器装着具に関し、特に、携帯可能な大きさの情報機器を前腕部に装着するための情報機器装着具に関する。
【背景技術】
【０００２】
通常、ノートパソコン等の比較的大きな情報機器は、鞄等に入れて収納し、必要な時に鞄から取り出して用いることとなる。しかし、携帯電話やＰＤＡ等、比較的使用頻度が高く、且つ小さな情報機器は、胸ポケットやズボンのポケット等に収納して身に付け、必要な時に速やかに取り出せるようにすることが求められる。
【０００３】
このように、使用頻度が高く、且つ比較的小さい情報機器を速やかに使用可能とすべく、携帯可能な情報機器を身体に装着する携帯機器装着具が特許文献１に開示されている。
【０００４】
図３は、従来の携帯機器装着具４０を説明するための図である。図示のように、前腕部に、携帯機器３２を保持する保持部３４が前腕部バンド３６によって取り付けられており、保持部３４は前腕部から手の甲へと延在し、この手の甲を覆う耳部３８と一体となっている。耳部３８は掌に巻かれる掌バンド４０及び指に巻かれる指バンド４２によって掌及び指に固定されている。
【０００５】
この携帯機器装着具４０によると、保持部３４から取り外して速やかに携帯機器を使用可能となる。そして、保持部３４が前腕部バンド３６により、この保持部３４と一体となる耳部３８が掌バンド４０及び指バンド４２により、それぞれ固定されているので、使用者の多少の動きにもかかわらず携帯機器３２は安定して前腕部の所定の位置に固定される。
【先行技術文献】
【特許文献】
【０００６】
【特許文献１】特開２００２−１１６８４２号公報
【発明の概要】
【発明が解決しようとする課題】
【０００７】
しかし、特許文献１の携帯機器装着具によると、携帯機器３２を安定的に前腕部に固定することができるものの、耳部３８が掌バンド４０及び指バンド４２により手及び指にそれぞれ固定されているので、手を使う作業を行う場合にこれら掌バンド４０等が邪魔になる場合がある。
【０００８】
手は、身体の部位のなかでも様々な作業を行う場合に特に重要な役割を果たす部位であることが多く、手に固定される部材があると作業の邪魔になり、作業効率の低下にもつつながるおそれがある。
【０００９】
本発明は、上記課題に鑑みてなされたものであり、その目的は、手を使う作業の邪魔にならず、且つ前腕部に情報機器を安定的に装着することができる情報機器装着具を提供することにある。
【課題を解決するための手段】
【００１０】
上記目的を解決するための請求項１に記載の発明は、携帯可能な情報機器を前腕部に装着するための情報機器装着具において、前記前腕部に巻回固定される前腕バンドと、該前腕バンドに設けられ、前記情報機器を外方から操作可能な状態で収納・装着する情報機器収納・装着部と、前記前腕部と同じ腕の上腕部に巻回固定される上腕バンドと、前記前腕バンドと前記上腕バンドを、肘の曲げ伸ばしを阻害しないように連結する連結部材と、を有することを特徴とする。
【００１１】
この構成によると、前腕部に巻回固定された前腕バンドが、上腕部に巻回固定された上腕バンドと連結部材により連結されている。よって、手の先の方にいくほど細くなる前腕部から、腕の振り動作等によって前腕バンドが手先方向へ移動すること及びこの前腕部に対して前腕バンドが回動することが、連結部材によって連結された上腕バンドによって抑制され、前腕部に情報機器を安定的に装着することができる。同時に、手や指が自由になっているので、邪魔になるものがなく手を使う作業を行うことができる。
【００１２】
請求項２に記載の発明は、請求項１に記載の情報機器装着具において、前記連結部材が、長さ調節可能であることを特徴とする。この構成によれば、使用者の腕の長さの違いに応じて連結部材の長さを調節し、前腕バンド及び上腕バンドをそれぞれ前腕部及び上腕部の最適な位置へと巻回固定することができる。
【００１３】
請求項３に記載の発明は、請求項１又は２に記載の情報機器装着具において、前記連結部材が、複数本設けられていることを特徴とする。
【００１４】
この構成によれば、複数本設けられた連結部材により、前腕バンドの手先方向への移動及び前腕部に対する回動がさらに強く抑制される。
【００１５】
請求項４に記載の発明は、請求項１〜３の何れか１項に記載の情報機器装着具において、前記前腕バンドにおける前記情報機器収納部の設けられた面の反対側の面に、所定の弾力を有する滑り止め部材が設けられていることを特徴とする。
【００１６】
この構成によれば、前腕バンドを前腕部に巻回固定させた状態において、前腕部に当接する滑り止め部材によって前腕部に対する前腕バンドの移動及び回動が抑制され、前腕部に情報機器をさらに安定的に装着することができる。同時に、滑り止め部材は所定の弾力を有するので、これが情報機器と前腕部の間のクッションとして作用することにより装用感が向上する。
【発明の効果】
【００１７】
本発明によれば、前腕部に情報機器を安定的に装着することができ、且つ邪魔になるものなく手を使う作業を行うことができる。よって、手を多用する動作と情報機器の操作とを繰り返す作業を、効率的且つ安全に行うことができる。
【図面の簡単な説明】
【００１８】
【図１】図１は、本発明の実施の形態に係る情報機器装着具１０を示す図である。
【図２】図２は、本実施の形態に係る情報機器装着具１０の実際の使用状態を示す斜視図である。
【図３】図３は、従来の携帯機器装着具４０を説明するための図である。
【発明を実施するための形態】
【００１９】
次に、本発明の実施の形態について図に基づいて詳細に説明する。携帯可能な情報機器を前腕部に装着するための本発明の情報機器装着具を、図１及び２を参照して説明する。
【００２０】
図１は、本発明の実施の形態に係る情報機器装着具１０を示す図であり、図１（ａ）は正面図、図１（ｂ）は底面図、図１（ｃ）は背面図である。図２は、本実施の形態に係る情報機器装着具１０の実際の使用状態を示す斜視図である。
【００２１】
情報機器装着具１０は、携帯電話、ＰＤＡ、ＰＤＴ（例えば、ハンディターミナル）等の携帯可能な情報機器を前腕部に装着するための装着具であり、図２に示すように、前腕部に前腕バンド１２が巻回固定されることにより上記情報機器が装着される。なお、本実施の形態において、情報機器は、操作ボタンと表示画面を同一面に有するハンディターミナルである。
【００２２】
前腕バンド１２は、図１に示すように、前腕部に巻回可能な幅と長さを有する帯状であって、前腕部と接する側の接触面１２ａの長手方向略中央部付近に、平面視略楕円形の滑り止め部材１４が固定されている。この滑り止め部材１４は、例えば、上記形状の樹脂フォームを、滑り止め加工を施した袋体に内包させたものである。袋体の摩擦係数は、少なくも前腕バンド１２よりも大きい。そして、この滑り止め部材１４によると、内包した樹脂フォームによって所定の弾力を得ることができる。
【００２３】
前腕バンド１２の外側の面、すなわち、接触面１２ａの反対側の面となる外側面１２ｂには、上記滑り止め部材１４の位置と背中合わせになる位置に上記情報機器を収納して装着する情報機器収納・装着部１６が設けられている。
【００２４】
情報機器収納・装着部１６は、断面略矩形の袋体であって、本実施の形態においては収納されるハンディターミナルを収納可能な大きさである。この大きさは、収納される情報機器が収納可能な大きさであれば良い。情報機器収納・装着部１６の側面には、これを収納するための口部（図示せず）があり、この口部は線ファスナー（図示せず）により開閉自在な構成となっている。
【００２５】
情報機器収納・装着部１６の上面は、略全面に亘って透明素材の薄膜により構成された窓部１６ａとなっている。よって、この窓部１６ａを介してハンディターミナルの操作ボタンを情報機器収納・装着部１６の外方から押し操作可能であり、且つ窓部１６ａを介してハンディターミナルの表示画面を視認可能である。
【００２６】
なお、情報機器収納・装着部１６は、その下面が前腕バンド１２に固定され、その上面が略全面に亘って開放された開放窓部を有する、多少の弾性変形可能な樹脂製の箱体としても良い。この場合、情報機器は、情報機器収納・装着部の下面と下面から立設する側壁とからなる凹部に嵌め込まれることで収納されて情報機器収納・装着部に装着される。このような構成によると、情報機器がスマートホンに代表されるような、表示画面上のタッチパネル操作により操作されるものである場合に、情報機器の情報機器収納・装着部への収納・装着状態のままで、開放窓部を介して表示画面を視認し、且つタッチパネル操作によりその情報機器を操作可能となる。
【００２７】
前腕バンド１２における長手方向となる巻回方向端部１２ｃ近傍には、幅方向に伸長し、フック状の雄材を有する面ファスナー１８ａが、その接触面１２ａに設けられている。そして、前腕バンド１２の外側面１２ｂの、面ファスナー１８ａのある位置と情報機器収納・装着部１６のある位置との間の領域は、ループ状の雌材を有する面ファスナー１８ｂとなっている。面ファスナー１８ａと面ファスナー１８ｂとは、それぞれに設けられたフック状の雄材とループ状の雌材により係着可能であり、着脱自在である。
【００２８】
前腕バンド１２における端部１２ｃの反対側の端部１２ｄには、前腕バンド１２を端部１２ｃから挿通させるための長孔２０ａを有するリング部材２０が取り付けられている。
【００２９】
なお、本実施の形態においては、前腕バンド１２には、情報機器収納・装着部１６が取付けられた位置から、前腕バンド１２の両端部１２ｃ、１２ｄ方向にそれぞれ伸長する細隙１２ｅ、１２ｆがさらに設けられている。この細隙１２ｅ、１２ｆは、装着時の通気性を向上させ、装用感を向上させるものである。前腕バンド１２には、その一方の幅方向端部１２ｇに、後述する上腕バンド２２を連結するための連結部材２４の一端が取り付けられている。
【００３０】
連結部材２４は、例えば、ゴムを織り込んだ伸縮可能な織布バンドであって、前腕バンド１２側の端部近傍に設けられたリング金具２６と、長さ方向略中央部に設けられた通称コキカンと呼ばれる長さ調節部材２８（図２参照乞う）とによってその長さ調節が可能となっている。
【００３１】
また、連結部材２４の他端には、前腕バンド１２と同じ腕の上腕部に巻回固定される、上腕バンド２２が設けられている。
【００３２】
上腕バンド２２は、上腕部に巻回可能な幅と長さを有する帯状であって、上腕部と接触する側の接触面２２ａにおける巻回方向端部２２ｂに、フック状の雄材を有する面ファスナー３０ａが設けられている。また、上腕バンド２２における上腕部と接しない側の面である外側面２２ｃには、ループ状の雌材を有する面ファスナー３０ｂが、外側面２２ｃの略中央から図１（ａ）に示す端部２２ｄにかけて設けられている。面ファスナー３０ａと面ファスナー３０ｂとは、それぞれに設けられたフック状の雄材とループ状の雌材により係着可能であり、着脱自在である。
【００３３】
なお、本実施の形態においては、情報機器装着具１０は１本の連結部材２４を有するが、図２の破線にて示したように、２本の連結部材２４を有する構成としても良く、さらに２本以上の連結部材を有する構成としても良い。
【００３４】
次に、本実施の形態に係る情報機器装着具１０を用いた、情報機器の前腕部への装着を説明する。
【００３５】
最初に、情報機器装着具１０の腕部への取付けを説明する。まず、前腕バンド１２の滑り止め部材１４を前腕部の内側面に当接させ、前腕バンド１２を前腕部に巻きつける。そして、前腕バンド１２を端部１２ｃから端部１２ｄに取付けられたリング部材２０の長孔２０ａに挿通させて外側へと折り返し、面ファスナー１８ａを面ファスナー１８ｂに係着させることで、前腕バンド１２を前腕部に巻回固定する。
【００３６】
その後、上腕バンド２２を同じ腕の上腕部に巻きつけ、面ファスナー３０ａを面ファスナー３０ｂに係着させ、上腕バンド２２を上腕部に巻回固定する。
【００３７】
そして、必要により前腕バンド１２と上腕バンド２６間の連結部材２４の弛みを調節部材２８によって調節し、連結部材２４にやや張力がかかるようにする。この状態において、図２に示すように、連結部材２４は前腕部の内側面上に位置し、ハンディターミナル（情報機器）は、前腕部の内側に装着されている。
【００３８】
このように腕部に取り付けた情報機器装着具１０の情報機器収納・装着部１６に、口部（図示せず）から情報機器を、その表示画面及び操作部が物品収納部１６の上面にある窓部１６ａと重なるようにして収納し、線ファスナー（図示せず）により口部を閉じる。これにより、図２に示すように、情報機器が、前腕部の内側面に配置された状態で前腕部へと装着されることとなる。
【００３９】
よって、本実施の形態に係る情報機器装着具１０によると、前腕バンド１２と上腕バンド２２とが、これらを連結する連結部材２４にそれぞれ前腕部と上腕部とに巻回固定される。したがって、腕の振り動作等による手の先方向への前腕バンド１２の移動及び前腕部に対する前腕バンド１２の回動が抑制され、前腕部に情報機器を安定的に装着することができる。同時に、手や指が自由になっているので、邪魔になるものなく手を使う作業を行うことができる。また、図２に破線で示すように、情報機器装着具１０が２本の連結部材２４を有する場合は、前腕バンド１２の手先方向への移動及び前腕部に対する回動がさらに強く抑制され、効果的である。
【００４０】
なお、本実施の形態では、情報機器装着具１０の腕部への取付け状態において、伸縮可能な連結部材２４にやや張力がかかる状態で前腕バンド１２及び上腕バンド２２が前腕部及び上腕部にそれぞれ固定されているので、動きによる影響のない、静的な状態においても連結部材２４による前腕バンド１２の移動及び回動抑制効果が発揮されている。
【００４１】
さらに、連結部材２４は折り曲げ容易な織布で構成されており、前腕部の内側面から肘の内側にかけて配置されているので、肘の曲げ伸ばしを阻害しない構成となっている。そして、情報機器収納・装着部１６の上面は、ハンディターミナル（情報機器）が収納されて装着された状態においてその表示画面及び操作ボタンを視認し、且つ操作可能な透明薄膜の窓部１６ａとなっているので、使用者は情報機器収納・装着部１６から情報機器を取り出すことなく表示画面を確認し、且つ操作ボタンを押し操作することが可能となり、高い利便性を有する。
【００４２】
また、連結部材２４に取付けられた調節部材２８により、前腕バンド１２及び上腕バンド２２をそれぞれ前腕部及び上腕部に巻回固定した後に、使用者の腕の長さに合わせて連結部材２４の長さを調整することで、前腕バンド１２及び上腕バンド２２をそれぞれ前腕部及び上腕部の最適な位置に巻回固定させることができる。
【００４３】
さらに、前腕バンド１２を前腕部に巻回固定させた状態において、前腕部に当接する滑り止め部材１４によって前腕部に対する前腕バンド１２の移動及び回動が抑制され、さらに前腕部に情報機器を安定的に装着することができる。同時に、滑り止め部材１４は、袋体に内方された樹脂フォーム等による弾力を有するので、これが情報機器と前腕部の間のクッションとして作用することにより装用感が向上する。
【００４４】
なお、本発明は上記実施の形態に限定されることはなく、発明の趣旨を逸脱しない範囲で種々変更可能である。例えば、本実施の形態においては、前腕バンド１２において、前腕バンド１２を端部１２ｃから長孔２０ａに挿通させるリング部材２０を設けているが、リング部材２０を設けず、上腕バンド２６のようにフック状の雄材を有する面ファスナーを前腕部と接触する側の面１２ａに設け、これを外側面１２ｂに設けたループ状の雌材を有する面ファスナーと係着させる構成としても良い。この構成によれば、構成の単純化を図ることができる。
【符号の説明】
【００４５】
１０  情報機器装着具
１２  前腕バンド
１４  滑り止め部材
１６  情報機器収納・装着部
２２  上腕バンド
２４  連結部材
【図１】
2014078862.tif 000003
【図２】
2014078862.tif 000004
【図３】
2014078862.tif 000005